(57)【要約】【課題】映像コンテンツを３次元表示するに際し、緊急放送がなされたとき緊急放送の映像を視聴者に視認させ易くすることが可能な映像表示装置を提供する。【解決手段】映像表示装置１は、映像信号を含む放送信号を受信する放送受信部１３と、放送受信部１３で受信した放送信号から緊急放送の映像を検出する緊急放送検出部１５と、３次元表示させる映像のうち緊急放送検出部１５で検出された緊急放送の映像とその緊急放送の映像以外の映像とについて、奥行き方向の表示位置の位置関係を変える制御を行う位置変更制御部１６とを備える。位置変更制御部１６は、その緊急放送の映像のみの奥行き方向の表示位置を所定量だけ視聴者側にずらす制御、若しくは緊急放送の映像の奥行き方向の表示位置を緊急放送の映像以外の映像より視聴者側になるようにずらす制御を行ってもよい。【選択図】図１
2012004654.tif 000002
【特許請求の範囲】
【請求項１】
平行法又は交差法による視差を原理とし、左目用映像と右目用映像を同一面に重ねて又は交互に表示することにより、視聴者に３次元的に映像を視認させることが可能な映像表示装置において、
映像信号を含む放送信号を受信する放送受信部と、該放送受信部で受信した放送信号から緊急放送の映像を検出する緊急放送検出部と、３次元表示させる映像のうち前記緊急放送検出部で検出された緊急放送の映像と該緊急放送の映像以外の映像とについて、奥行き方向の表示位置の位置関係を変える制御を行う位置変更制御部とを備え、
該位置変更制御部は、前記緊急放送の映像のみの奥行き方向の表示位置を所定量だけ視聴者側にずらす制御、若しくは前記緊急放送の映像の奥行き方向の表示位置を前記緊急放送の映像以外の映像より視聴者側になるようにずらす制御を行うことを特徴とする映像表示装置。
【請求項２】
請求項１に記載の映像表示装置において、前記緊急放送以外の映像は、前記放送受信部で受信した映像信号に含まれる映像、若しくは、前記映像表示装置の内部又は外部に記録された３次元表示用の映像コンテンツに含まれる映像であることを特徴とする映像表示装置。
【請求項３】
請求項１又は２に記載の映像表示装置において、専用メガネを用いて左目用映像と右目用映像を分離する方式により、３次元表示を行うことを特徴とする映像表示装置。
【請求項４】
平行法又は交差法による視差を原理とし、左目用映像と右目用映像を同一面に重ねて又は交互に表示することにより、視聴者に３次元的に映像を視認させることが可能な映像表示装置における表示制御方法であって、
放送受信部が、映像信号を含む放送信号を受信する受信ステップと、
緊急放送検出部が、前記受信ステップで受信した放送信号から緊急放送の映像を検出する検出ステップと、
位置変更制御部が、３次元表示させる映像のうち前記検出ステップで検出された緊急放送の映像と該緊急放送の映像以外の映像とについて、奥行き方向の表示位置の位置関係を変える制御を行う制御ステップとを有し、
該制御ステップは、前記緊急放送の映像のみの奥行き方向の表示位置を所定量だけ視聴者側にずらす制御、若しくは前記緊急放送の映像の奥行き方向の表示位置を前記緊急放送の映像以外の映像より視聴者側になるようにずらす制御を行うことを特徴とする表示制御方法。
【発明の詳細な説明】
【技術分野】
【０００１】
本発明は、視聴者に３次元的に映像を視認させることが可能な映像表示装置、及びその表示制御方法に関する。
【背景技術】
【０００２】
従来から、裸眼により３次元表示を視認させる映像表示装置が提案されている。この映像表示装置では、例えばパララックスバリアやレンチキュラーレンズを利用して右目と左目とで異なる映像を見せる構成を採用することで、視聴者に裸眼で３次元映像（立体映像）を視認させている。
【０００３】
また、専用メガネを用いて３次元表示を視認させる映像表示装置も提案されている。この映像表示装置では、時分割方式で右目用映像と左目用映像とを交互に出力する構成を採用し、その切り替えタイミングに同期した切り替えが可能なシャッターをもつ専用メガネを用いることで、視聴者に専用メガネを介して３次元映像を視認させている。
【０００４】
例えば、特許文献１に記載の装置は、ブラウン管ディスプレイは２画面分以上のメモリを有しており、制御器によりブラウン管ディスプレイに１フレーム毎に異なる２枚の画面を交互に表示し、それと同時に眼鏡の電磁シャッターを左右の眼鏡のいずれかが交互に開放している。従って、画像メモリに、視差を有する２個の画像データが入れられていれば、ブラウン管ディスプレイ装置を使用する観測者は、眼鏡を通して、左右の目から交互に視差を有する別々の画像を見ることになり、目の残像作用により立体感を得ることができる。
【０００５】
この立体感は、図５に示す平行法や図６に示す交差法の原理をシャッター式メガネによって実現している。図５は視差による立体視（平行法）の原理を示す図、図６は視差による立体視（交差法）の原理を示す図である。
【０００６】
図５において、メガネの左目が開放されている状態で表示オブジェクト１０２を、メガネの右目が開放されている状態で表示オブジェクト２０２を、それぞれ知覚すると、平行法により、実際にはディスプレイの位置よりも奥にあるように表示オブジェクト４０２が視認される。また、図６において、同様にメガネの右目が開放されている状態で表示オブジェクト２０２を、メガネの左目が開放されている状態で表示オブジェクト１０２を、それぞれ知覚すると、交差法により、実際にはディスプレイの位置よりも手前にあるように表示オブジェクト４０２が視認される。このようにして、各オブジェクトがそれぞれ異なる高度（高度差）を持つことで、画面全体に立体感があるように視認される。
【０００７】
平行法及び交差法を使った視差を原理とする３次元表示データでは、映像内の表示オブジェクトがディスプレイ面より手前方向又は奥行き方向（ｚ方向）に表示しようとした場合、右目用映像と左目用映像では、この物体の表示位置が、２次元表示した場合の水平位置Ｘに比べて、それぞれｘ方向にＸ＋α、Ｘ−αだけ移動した位置に表示される。このαの値が大きいほど視差が大きくなり、この物体がより手前方向に視認される。なお、便宜上ディスプレイ面上に表示される物体が、奥行き方向にちょうどディスプレイ面上に視認される時の視差をゼロとして説明している。なお、ここではディスプレイに対して、水平方向をｘ方向、垂直方向をｙ方向、３次元に視認された場合の奥行き方向をｚ方向としている。また、特許文献１に記載の装置ではディスプレイにブラウン管ディスプレイを用い、シャッター式メガネに電磁シャッター眼鏡を用いているが、ディスプレイやメガネは、例えばそれぞれ液晶ディスプレイや液晶シャッターメガネでも同様の効果が得られる。
【先行技術文献】
【特許文献】
【０００８】
【特許文献１】特開昭６０−２２３２８２号公報
【発明の概要】
【発明が解決しようとする課題】
【０００９】
しかしながら、特許文献１に記載の装置では、放送コンテンツに応じた３次元表示を行えるものの、緊急地震速報などの緊急放送があった場合にその緊急放送の映像をそのまま他の映像に重畳して表示すると、緊急放送の映像が視聴者から認識されない若しくは認識され難い状況が発生する。
【００１０】
本発明は、上述のような実状に鑑みてなされたものであり、その目的は、映像コンテンツを３次元表示するに際し、緊急放送がなされたとき緊急放送の映像を視聴者に視認させ易くすることが可能な映像表示装置を提供することにある。
【課題を解決するための手段】
【００１１】
上述した課題を解決するために、本発明の第１の技術手段は、平行法又は交差法による視差を原理とし、左目用映像と右目用映像を同一面に重ねて又は交互に表示することにより、視聴者に３次元的に映像を視認させることが可能な映像表示装置において、映像信号を含む放送信号を受信する放送受信部と、該放送受信部で受信した放送信号から緊急放送の映像を検出する緊急放送検出部と、３次元表示させる映像のうち前記緊急放送検出部で検出された緊急放送の映像と該緊急放送の映像以外の映像とについて、奥行き方向の表示位置の位置関係を変える制御を行う位置変更制御部とを備え、該位置変更制御部は、前記緊急放送の映像のみの奥行き方向の表示位置を所定量だけ視聴者側にずらす制御、若しくは前記緊急放送の映像の奥行き方向の表示位置を前記緊急放送の映像以外の映像より視聴者側になるようにずらす制御を行うことを特徴としたものである。
【００１２】
第２の技術手段は、第１の技術手段において、前記緊急放送以外の映像は、前記放送受信部で受信した映像信号に含まれる映像、若しくは、前記映像表示装置の内部又は外部に記録された３次元表示用の映像コンテンツに含まれる映像であることを特徴としたものである。
【００１３】
第３の技術手段は、第１又は第２の技術手段において、専用メガネを用いて左目用映像と右目用映像を分離する方式により、３次元表示を行うことを特徴としたものである。
【００１４】
第４の技術手段は、平行法又は交差法による視差を原理とし、左目用映像と右目用映像を同一面に重ねて又は交互に表示することにより、視聴者に３次元的に映像を視認させることが可能な映像表示装置における表示制御方法であって、放送受信部が、映像信号を含む放送信号を受信する受信ステップと、緊急放送検出部が、前記受信ステップで受信した放送信号から緊急放送の映像を検出する検出ステップと、位置変更制御部が、３次元表示させる映像のうち前記検出ステップで検出された緊急放送の映像と該緊急放送の映像以外の映像とについて、奥行き方向の表示位置の位置関係を変える制御を行う制御ステップとを有し、該制御ステップは、前記緊急放送の映像のみの奥行き方向の表示位置を所定量だけ視聴者側にずらす制御、若しくは前記緊急放送の映像の奥行き方向の表示位置を前記緊急放送の映像以外の映像より視聴者側になるようにずらす制御を行うことを特徴としたものである。
【発明の効果】
【００１５】
本発明によれば、映像表示装置において、映像コンテンツを３次元表示するに際し、緊急放送がなされたとき緊急放送の映像を視聴者に視認させ易くすることが可能になる。
【図面の簡単な説明】
【００１６】
【図１】本発明の一実施形態に係る映像表示装置の一構成例を示すブロック図である。
【図２】図１の映像表示装置における３次元表示処理の一例を模式的に示す図である。
【図３】従来の映像表示装置における、緊急放送の映像を受信したときの表示処理の一例を模式的に示す図である。
【図４】図１の映像表示装置における、３次元の緊急放送の映像を受信したときの表示処理の一例を模式的に示す図である。
【図５】視差による立体視（平行法）の原理を示す図である。
【図６】視差による立体視（交差法）の原理を示す図である。
【発明を実施するための形態】
【００１７】
本発明に係る映像表示装置は、平行法又は交差法による視差を原理とし、左目用映像と右目用映像を同一面に重ねて又は交互に表示することにより、視聴者に３次元的に（立体的に）映像を視認させることが可能な装置である。以下、本発明に係る映像表示装置として液晶パネルを備えた液晶表示装置を例に挙げて説明するが、液晶パネルの代わりに、有機ＥＬ（Electroluminescence）やプラズマディスプレイなど他の表示方式の表示パネルを採用してもよい。また、本発明に係る映像表示装置は、３次元表示の制御を行い易くするためフラットディスプレイであることが好ましい。
【００１８】
図１は、本発明の一実施形態に係る映像表示装置の一構成例を示すブロック図である。図１で例示する映像表示装置１は、液晶パネル１０、映像表示装置１の全体を制御する主制御部１１、ユーザからの操作を受け付けて主制御部１１に伝える操作部１２、放送信号を受信する放送受信部１３などを備える。ここで、放送信号には少なくとも映像信号が含まれていればよいが、一般的には音声信号も含まれる。
【００１９】
また、映像表示装置１は、３Ｄ／２Ｄ切替部１４、２Ｄ表示制御部１７、及び３Ｄ表示制御部１８を備える。主制御部１１は、操作部１２から受けた切替操作や、放送受信部１３で放送信号が２次元用なのか３次元用なのかを判別可能に構成しておき放送受信部１３から受けたその判別結果などに基づき、３次元表示と２次元表示とを切り替える制御を３Ｄ／２Ｄ切替部１４に対して実行する。３Ｄ／２Ｄ切替部１４はその制御に従い、３Ｄ表示制御部１８と２Ｄ表示制御部１７との間で使用する表示制御部を切り替える。
【００２０】
２Ｄ表示制御部１７は、入力された映像データ（２次元表示用映像コンテンツ）を液晶パネル１０で２次元表示する制御を行う。２Ｄ表示制御部１７には、次の２次元変換部を備え、３次元表示用映像コンテンツであっても２次元表示できるように映像表示装置１を構成することが好ましい。この２次元変換部は、深度情報が付加されている場合にそれを無視したり、左右の映像がある場合に一方の映像を無視するなどにより、３次元表示用映像コンテンツを２次元表示用映像コンテンツに変換する。なお、３Ｄ／２Ｄ切替部１４及び２Ｄ表示制御部１７を備え、２次元表示も可能な例を挙げているが、本発明に係る映像表示装置は３次元表示専用の装置として構成してもよい。
【００２１】
３Ｄ表示制御部１８は、入力された映像データ（３次元表示用映像コンテンツ）を液晶パネル１０で３次元表示する制御を行う。３Ｄ表示制御部１８には、次の３次元変換部を備え、２次元表示用映像コンテンツであっても３次元表示できるように映像表示装置１を構成することが好ましい。この３次元変換部は、通常の２次元表示用映像コンテンツを３次元表示用映像コンテンツに変換する。この変換は、例えば入力された映像コンテンツの一部の領域が２次元表示用で他の領域が３次元表示用であれば、単に２次元表示用の領域については単純に深度ゼロとすれば済む。なお、後述するように、２次元表示用の領域が緊急放送の映像を示す領域であった場合には深度の値を浅くすれば（視聴者側にすれば）よい。一方、映像表示装置１は、入力された映像コンテンツの全てが２次元表示用映像コンテンツであった場合に対応不可なように構成してもよいが、例えば映像からオブジェクトを抽出するなどしてオブジェクトのサイズが大きい程、深度を浅くするなど、深度情報を与えるなどにより、対応可能に構成できる。
【００２２】
本発明の主たる特徴として、映像表示装置１は、緊急放送検出部１５及び位置変更制御部１６を備える。緊急放送検出部１５は、放送受信部１３で受信した放送信号から緊急放送の映像を検出する。検出対象となる緊急放送の映像としては、通常の放送コンテンツに緊急で割り込ませる情報を示す映像を指し、例えば、緊急地震速報、津波警報、気象警報、気象注意報等の緊急警報や通常の地震速報など、緊急事象を文字で表記した字幕の映像であったり、例えば緊急事象の発生位置を視認させるための地図画像と共に緊急事象を文字で表記した字幕とでなる映像であったりする。
【００２３】
検出の手法としては、緊急放送の映像が、他の映像中に埋め込まれた形の映像スーパーであった場合には、放送コンテンツの映像から所定のキーワードの文字を認識して緊急放送の映像として検出してもよいし、さらに加えてその文字近隣で且つその文字と同じ奥行きの映像も緊急放送の映像として検出してもよい。上記所定のキーワードとしては、例えば「速報」、「地震」、「警報」などが挙げられる。また、緊急地震速報などの緊急放送の映像が、番組の映像コンテンツを示す映像データとは別に、字幕スーパー用のデータ及びグラフィックで送信された映像であった場合には、このような字幕スーパー用のデータ及びグラフィックを示す識別子（緊急警報放送識別子）を検出すること、若しくはそのデータ内の上記所定のキーワードを検出するなどにより、放送波から緊急放送の映像を検出することができる。緊急放送検出部１５は、映像スーパーと字幕スーパーのいずれも検出可能なように構成しておくことが好ましいが、一方のみに対応した構成であってもよい。
【００２４】
位置変更制御部１６は、３次元表示させる映像のうち緊急放送検出部１５で検出された緊急放送の映像とその緊急放送の映像以外の映像とについて、奥行き方向の表示位置の位置関係を変える制御を行う。すなわち、位置変更制御部１６は、緊急放送検出部１５で緊急放送の映像が検出されたときに（つまり緊急放送時に）、奥行き方向の表示位置の位置関係を変える制御を行う。
【００２５】
より具体的には位置変更制御部１６は、（ａ）緊急放送の映像のみの奥行き方向の表示位置を所定量だけ視聴者側（画面に垂直方向であって画面から離れる方向）にずらす制御を行う。ずらすことで変更された緊急放送の映像は、緊急放送以外の映像と合成部で合成され、３Ｄ表示制御部１８に出力され、液晶パネル１０で３次元表示される。上記（ａ）の場合、所定量は映像表示装置１の画面サイズによって決めておいてもよい。また、所定量をずらした結果、規格等で規制された視差の最大値を超えてしまう場合には、その最大値までずらせばよい。
【００２６】
上記（ａ）の制御の代わりに、位置変更制御部１６が、（ｂ）緊急放送の映像の奥行き方向の表示位置を緊急放送の映像以外の映像より視聴者側になるようにずらす制御を行ってもよい。図１では緊急放送の映像に対してのみ位置変更を行うことが示されているが、上記（ｂ）の場合、緊急放送の映像若しくは緊急放送以外の映像のいずれか一方又は双方について、奥行き方向の表示位置を変える。いずれか一方又は双方が変更された映像は、合成部で合成され、３Ｄ表示制御部１８に出力され、液晶パネル１０で３次元表示される。これにより、視聴者は、緊急放送以外の映像に対して緊急放送の映像の表示位置が相対的に前に出た状態で視認できる。すなわち、緊急放送の映像が３次元表示で一番目立つように視聴者から一番手前に表示できる。緊急放送の映像のみの表示位置を変える場合、規格等で規制された視差の最大値となるまで常にずらすようにしてもよい。
【００２７】
このように、上記（ａ）又は（ｂ）のいずれかの制御を実行することで、緊急放送の映像の他の映像に対する位置関係を、緊急放送の映像が通常の表示位置より視聴者の手前方向に表示させるように変えて、これにより３次元表示空間内で視聴者に認識され易くすることができる。また、位置変更制御部１６を、上記（ａ），（ｂ）の双方の制御を実行可能なように構成しておき、いずれの制御を実行するかは操作部１２によるユーザ設定によって決めるようにしてもよい。
【００２８】
以下、具体例を挙げながら、上記（ａ）の処理について説明する。図２は、図１の映像表示装置における３次元表示処理の一例を模式的に示す図である。また、図３は、従来の映像表示装置における、緊急放送の映像を受信したときの表示処理の一例を模式的に示す図で、図４は、図１の映像表示装置における、３次元の緊急放送の映像を受信したときの表示処理の一例を模式的に示す図である。
【００２９】
まず、通常の３次元表示処理について図２を参照して説明する。映像表示装置１は、上述したように平行法及び交差法による視差を原理とした３次元表示可能な表示装置であり、図２に示すように視聴者２０が３次元表示専用のアクティブシャッター式メガネ２１を装着した状態で映像表示装置１の表示映像を視認する。本例では、３次元表示を行う方式として、左目用映像１００と右目用映像２００を時間毎に交互に表示するフレームシーケンシャル方式を用い、専用メガネとしてアクティブシャッター式メガネ２１を用いた場合の制御方法について説明する。
【００３０】
３次元表示用映像コンテンツは、予め左目用映像１００と右目用映像２００とを分離した状態、又は図示しない２次元表示用映像コンテンツとその映像の３次元方向の深さを示す深度情報とを分離した状態で、映像表示装置１に対して入力される。例えば左目用映像１００の表示フレームの時刻をｔとすると、右目用映像２００の表示フレームは時刻ｔ＋１のフレームとなる。映像表示装置１は、これらの映像を受信し、１フレーム毎に交互に右目用映像と、左目用映像とを映像表示装置１上に出力するとともに、アクティブシャッター式メガネ２１に対して、現在、右目用映像２００と左目用映像１００のいずれかが表示されているかを示す信号を出力し、映像表示装置１が右目用映像２００を出力している期間にはアクティブシャッター式メガネ２１の右目を開放し、左目を閉じるように制御する。次に、映像表示装置１が左目用映像１００を出力している期間にはアクティブシャッター式メガネ２１の左目を開放し、右目を閉じるように制御することで３次元表示を実現している。
【００３１】
このような通常の３次元表示処理中に、緊急地震速報などの緊急放送があった場合について、図３及び図４を参照しながら説明する。ここでは、緊急地震速報を告知するなどの字幕スーパーにより緊急放送がなされる場合を例示する。まず、比較のために図３を参照して、緊急放送の字幕スーパーを検出してその字幕スーパーが２次元表示用であった場合の、従来の映像表示装置における表示処理について説明する。
【００３２】
従来の映像表示装置でも、緊急放送があった場合、３次元表示用映像コンテンツの中身に限らず緊急放送の映像を重畳することが可能であるが、２次元表示の時と同じ制御で表示した場合は、視差の無い左目用字幕スーパー１０１と右目用字幕スーパー２０１とを重畳することになるため、立体視時のｚ方向表示位置３００で例示するように、奥行き方向（ｚ方向）には視聴位置（観測位置）３０３とディスプレイ位置３０５との距離で視認される。この時、重畳された元の３次元表示用映像コンテンツの表示状態によっては、立体視時のｘ，ｙ方向表示位置４００とｚ方向表示位置３００とで例示するように、表示オブジェクト４０２（３０２）はディスプレイ位置３０５よりも手前の結像位置３０４に視認され、ディスプレイ位置３０５に表示される字幕スーパー４０１（３０１）よりも目立ってしまう。なお、この表示オブジェクトの結像位置３０４は、図６で説明したように、２次元表示した場合の水平位置Ｘに比べてそれぞれｘ方向にＸ＋α、Ｘ−αだけ移動した位置に表示される。このαの値が大きいほど視差が大きくなり、この表示オブジェクトがより手前方向に視認される。なお、表示オブジェクトの視差αをマイナス（すなわちα＜０）とすることで、奥行き方向にも視認されることになる。
【００３３】
上述のように字幕スーパー４０１（３０１）より他の映像である表示オブジェクト４０２（３０２）が目立ってしまうため、視聴者２０が内容を解釈するまでに時間がかかったり、見逃したりしてしまう可能性が高くなる。
【００３４】
これに対し、本発明に係る映像表示装置１では、放送波による３次元表示用映像コンテンツを映像表示装置１で視聴中に緊急放送検出部１５が緊急放送の字幕スーパーを検出したとき、位置変更制御部１６が、緊急地震速報などの緊急放送時に重畳される字幕スーパーのデータ及びグラフィックを視差のある３次元映像に変換し、視聴者が速やかに内容を解釈できるように制御する。
【００３５】
実際、放送波を受信可能な映像表示装置１では、緊急地震速報などの緊急放送の映像として、番組の映像コンテンツを示す映像データとは別に、字幕スーパー用のデータ及びグラフィックで送信された映像を受信することもできる。地上デジタル放送などでは同期ＰＥＳ（Packetized Elementary Stream）パケット、非同期ＰＥＳパケット、データ放送のイベントメッセージ、ＡＣ（Auxiliary Channel）による伝送など、種々の方法が検討されているが、そのいずれもが映像データとは分離した情報として、緊急放送の映像を示す情報が伝送される。非同期ＰＥＳによる文字スーパーやデータ放送のイベントメッセージについては、文字内容や表示位置などは放送局側から制御されるが、受信側で制御することも可能である。ＡＣによる伝送については、受信機側（映像表示装置１側）の仕様によって決まる。いずれの場合においても、ＯＳＤデータとして番組等の映像データに重畳されて表示することになるが、表示位置の制御も位置変更制御部１６によって可能である。
【００３６】
より具体的に説明すると、図４で例示するように、放送波が３次元表示用映像コンテンツを受信している最中に緊急放送が発生すると、放映中の３次元表示用映像の上に、字幕スーパーのデータ又はグラフィックを左目用映像１００と右目用映像２００の両方に重畳する。この時、２次元表示時に本来重畳すべき表示位置Ｘに対して、緊急放送の字幕スーパーのデータ又はグラフィック１０１，１０２を、左目用映像１００の場合は位置Ｘ＋βに、右目用映像２００の場合は位置Ｘ−βにこの字幕データを配置する。ここでβ＞αとする。なお、本明細書中では映像表示装置１に対して、水平方向をｘ方向、垂直方向をｙ方向、３次元に視認された場合の奥行き方向をｚ方向としている。
【００３７】
このような制御を行うことで、図６で説明した交差法の原理により、図４の立体視時のｘ，ｙ方向表示位置４００とｚ方向表示位置３００とで例示するように視認される。つまり、字幕スーパー４０１（３０１）が結像位置３０６に視認され、ディスプレイ位置及び表示オブジェクト４０２（３０２）の結像位置３０４より、３次元的に手前方向に視認される。従って、視聴者２０が観測位置３０３にて緊急地震速報を知覚し、その内容を解釈するまでの時間を短縮することができる。特に、緊急地震速報の場合は、わずか１秒でも早く認識する必要性が高いため、本発明は非常に有用である。
【００３８】
また、位置変更制御部１６が値β（＞α）の視差を与えるように字幕スーパーの映像を変更している例を挙げたが、表示位置を所定量だけ視聴者側にずらす処理自体は既知の技術を採用すればよい。例えば、所定量だけ視聴者側にずらすような値β（＞α）を計算し、その値βを用いて位置を変更してもよいし、単に所定量を指定してもよい。また、２次元表示用の映像は深度ゼロであると解釈できるため、緊急放送の字幕スーパーが２次元表示用の映像（深度ゼロ）であるか３次元表示用の映像であるかに拘わらず、位置変更制御部１６は位置の変更を制御できる。
【００３９】
また、上記（ａ）の処理について具体例を挙げて説明したが、上記（ｂ）の処理も、上記（ａ）のような処理や、緊急放送以外の映像について視差を減らす処理などを併用することで実現できる。上記（ｂ）の処理における奥行き方向の表示位置を変える処理自体も既知の技術を採用すればよい。
【００４０】
また、字幕スーパーにより緊急放送がなされる場合を例示したが、映像スーパーにより緊急放送の映像が番組の映像データに埋め込まれる場合には、上述したように緊急放送検出部１５で文字認識等により緊急放送の映像を検出し、検出した文字やそれに伴う地図画像を示す映像（緊急放送の映像）とそれ以外の映像とについて、上記（ａ）又は（ｂ）の処理を施せばよい。
【００４１】
以上説明したように、映像表示装置１によれば、映像コンテンツを３次元表示するに際し、緊急放送がなされたとき緊急放送の映像を視聴者に視認させ易くすることが可能になる。その結果、視聴者は、３次元表示で放送コンテンツを視聴している際でもいち早く緊急地震速報などの緊急放送を認識できるため、緊急放送の表示を見逃したり或いは緊急放送の内容を認識させるのに時間がかかったりすることもなく、災害発生時の認識の遅れによる被害の拡大を未然に防ぐことができる。
【００４２】
また、緊急放送以外の映像は、放送受信部１３で受信した映像信号（放送コンテンツの映像データ）に含まれる映像であることを前提に説明したが、映像表示装置１の内部又は外部に記録された３次元表示用の映像コンテンツに含まれる映像であってもよい。無論、外部に記録されている場合、映像表示装置１からアクセス可能になっているものとする。例えば、緊急放送は、視聴者が３次元表示に対応したＢｌｕ−ｒａｙディスクなどの記録媒体に記録された３次元表示用映像コンテンツを再生中に受信することもある。受信は、例えば緊急警報放送識別子を検出することでなされ、この識別子により自動的に緊急放送の映像を表示する処理が起動する。
【００４３】
このように蓄積されたコンテンツの映像を再生中に放送局側から緊急放送を受信した場合、記録媒体中の映像コンテンツの再生映像にそのまま緊急放送の内容（字幕映像等）を重畳すると、視聴者から目立たずに見過ごしてしまったり、或いは見づらいために内容が把握できない可能性がある。そこで、映像表示装置１では、緊急放送の映像自体を３次元化し、深度情報をゼロより所定量浅くするか再生中の映像コンテンツのいずれの深度情報より浅くすることにより、緊急放送の映像を目立つ形式で表示させる。これにより、視聴者は緊急放送の内容を見過ごさないようにすることが可能となる。
【００４４】
以上、本発明に係る映像表示装置について、時分割方式を採用してアクティブシャッター方式の専用メガネを用いることを前提に説明したが、平行法及び交差法による視差を原理とした３次元表示が可能であればよく、左目用映像と右目用映像を分離するための他の専用メガネを用いることもできるし、また、パララクスバリア方式やレンチキュラーレンズ方式を利用して裸眼で左目用映像と右目用映像とを分離して立体視させる構成も採用できる。他の専用メガネとしては、偏光フィルタ方式、カラーフィルタ方式などがあり、いずれの方式の専用メガネを採用してもよい。また、裸眼で立体視させる場合、奥行き方向の表示位置の位置関係を変えることは右目用映像と左目用映像を補正すれば実行できる。
【００４５】
以上、本発明に係る映像表示装置について説明したが、本発明はこのような映像表示装置における表示制御方法としての形態も採用できる。この表示制御方法は、平行法又は交差法による視差を原理とし、左目用映像と右目用映像を同一面に重ねて又は交互に表示することにより、視聴者に３次元的に映像を視認させることが可能な映像表示装置における表示制御方法であって、次に説明する受信ステップ、検出ステップ、及び制御ステップを有する。
【００４６】
受信ステップは、放送受信部が、映像信号を含む放送信号を受信するステップである。検出ステップは、緊急放送検出部が、受信ステップで受信した放送信号から緊急放送の映像を検出するステップである。制御ステップは、位置変更制御部が、３次元表示させる映像のうち検出ステップで検出された緊急放送の映像とその緊急放送の映像以外の映像とについて、奥行き方向の表示位置の位置関係を変える制御を行うステップである。そして、この制御ステップは、緊急放送の映像のみの奥行き方向の表示位置を所定量だけ視聴者側にずらす制御、若しくは緊急放送の映像の奥行き方向の表示位置をその緊急放送の映像以外の映像より視聴者側になるようにずらす制御を行う。本発明に係る表示制御方法における他の応用例については、映像表示装置について説明した通りであり、その説明を省略する。
【符号の説明】
【００４７】
１…映像表示装置、１１…主制御部、１２…操作部、１３…放送受信部、１４…３Ｄ／２Ｄ切替部、１５…緊急放送検出部、１６…位置変更制御部、１７…２Ｄ表示制御部、１８…３Ｄ表示制御部。
【図１】
2012004654.tif 000003
【図２】
2012004654.tif 000004
【図３】
2012004654.tif 000005
【図４】
2012004654.tif 000006
【図５】
2012004654.tif 000007
【図６】
2012004654.tif 000008